(57)【特許請求の範囲】
【請求項１】
先端にフック部材を有する巻き尺テープにおいて、前記フック部材の内側を第１の基点とする第１の目盛りと、前記第１の基点より所定長さ離れた位置を第２の基点とする第２の目盛りを有し、前記第１の目盛りと前記第２の目盛りとは、同一単位の目盛りであり、前記所定長さが、建物の基準とする柱の幅の規格値の１／２であることを特徴とする巻き尺テープ。
【請求項２】
前記柱の幅の規格値が、８９ｍｍであることを特徴とする請求項１に記載の巻き尺テープ。
【請求項３】
前記第２の基点を基点として建物の間柱の位置間隔に相当する長さごとに指標が設けられたことを特徴とする請求項１または２に記載の巻き尺テープ。
【請求項４】
前記間柱の位置間隔に相当する長さが４５５ｍｍであることを特徴とする請求項３に記載の巻き尺テープ。
【請求項５】
前記指標を中心として間柱の幅に相当する指標が設けられたことを特徴とする請求項３または４に記載の巻き尺テープ。
【請求項６】
前記第１の基点を基点として建物の間柱の位置間隔に相当する長さごとに前記第１の目盛り上に該目盛りとは異なる色彩の指標が設けられたことを特徴とする請求項１ないし５のいずれか１項に記載の巻き尺テープ。
【請求項７】
前記第２の基点を基点として建物の間柱の位置間隔に相当する長さを識別できる着色領域が設けられたことを特徴とする請求項１ないし６のいずれか１項に記載の巻き尺テープ。
【発明の詳細な説明】
【０００１】
【発明の属する技術分野】
本発明は、建築工事に適した巻尺テープ、特に、ツーバイフォーの建物の建築工事に適した巻き尺テープに関するものである。
【０００２】
【従来の技術】
従来、建築工事において、巻き尺テープが用いられている。これを収納しやすくしたコンベックススケールは、先端部にフックが取り付けられており、フックを測定位置に係止して測定を行なうことができるので、多用されている。
【０００３】
このような巻き尺テープは、端部を基点として目盛りが施されたものであり、端部に取り付けられたフックが取り付けられたものは、フックの内側を例えば柱の外側に係止して外法を測定し、あるいは、フックの外側を例えば柱の内側に突き当てて内法を測定しりことができる。この際、フックの厚みが誤差となる点を防止して、基点を正確に目盛りの基点に合致させるためにフックの厚さだけ、フックがずれるように取り付けられたものも用いられている。
【０００４】
いずれにしても、巻き尺テープの端部が目盛りの基点であるから、間柱（スタッド）の位置を決めるための墨付けには、計算をしながら位置を決めており、煩雑であるばかりでなく、計算間違いを起こすこともあった。
【０００５】
【発明が解決しようとする課題】
本発明は、上述した事情に鑑みてなされたもので、建物に基準となる柱の中心からの距離が容易に測定できる巻き尺テープを提供することを目的とするものである。
【０００６】
【課題を解決するための手段】
請求項１に記載の発明は、先端にフック部材を有する巻き尺テープにおいて、前記フック部材の内側を第１の基点とする第１の目盛りと、前記第１の基点より所定長さ離れた位置を第２の基点とする第２の目盛りを有し、前記第１の目盛りと前記第２の目盛りとは、同一単位の目盛りであり、前記所定長さが、建物の基準とする柱の幅の規格値の１／２であることを特徴とするものである。
【０００７】
請求項２に記載の発明は、請求項１に記載の巻き尺テープにおいて、前記柱の幅の規格値が、８９ｍｍであることを特徴とするものである。
【０００８】
請求項３に記載の発明は、請求項１または２に記載の巻き尺テープにおいて、前記第２の基点を基点として建物の間柱の位置間隔に相当する長さごとに指標が設けられたことを特徴とするものである。
【０００９】
請求項４に記載の発明は、請求項３に記載の巻き尺テープにおいて、前記間柱の位置間隔に相当する長さが４５５ｍｍであることを特徴とするものである。
【００１０】
請求項５に記載の発明は、請求項３または４に記載の巻き尺テープにおいて、前記指標を中心として間柱の幅に相当する指標が設けられたことを特徴とするものである。
【００１１】
請求項６に記載の発明は、請求項１ないし５のいずれか１項に記載の巻き尺テープにおいて、前記第１の基点を基点として建物の間柱の位置間隔に相当する長さごとに前記第１の目盛り上に該目盛りとは異なる色彩の指標が設けられたことを特徴とするものである。
【００１２】
請求項７に記載の発明は、請求項１ないし６のいずれか１項に記載の巻き尺テープにおいて、前記第２の基点を基点として建物の間柱の位置間隔に相当する長さを識別できる着色領域が設けられたことを特徴とするものである。
【００１３】
【発明の実施の形態】
図１は、本発明の巻き尺テープの実施の形態の一例の目盛りを説明するためのもので、図１（Ａ）は先端部の平面図、図１（Ｂ）は中間部の平面図である。なお、先端部に取り付けられるフック部材の図示は省略した。図中、１は巻き尺テープ、２，３は目盛り、４，５，６，７は指標、８は着色領域、９はスタッド幅目盛りである。
【００１４】
巻き尺テープ１には、２段の目盛りが上下に施されている。下段の目盛り２は、端部４を基点として「ｃｍ」を単位とするものである。図では、端部が０ｍｍになっているが、０ｍｍの位置はフック部材の内側の位置であり、巻き尺テープ１の端部がフック部材の内側の位置に合致するように取り付けられている場合は、図のように、巻き尺テープ１の端が０ｍｍである。また、フック部材がその厚さだけ移動できるように巻き尺テープ１に取り付けられる場合は、図よりもフック部材の厚みだけ巻き尺テープ１の端が短くされる。例えば、フック部材の厚みが１．５ｍｍであれば、巻き尺テープ１の端は、１．５ｍｍから始まることになる。なお、この例では、最小目盛りは１ｍｍであるが、これに限られるものではない。下段の目盛り２は、従来のスケールと同じに利用できるものである。
【００１５】
上段の目盛り３は、目盛り２と同じ単位の「ｃｍ」を単位とするものであり、最小目盛りは１ｍｍとした。しかし、目盛り３の最小単位も１ｍｍに限られるものでなく、また、目盛り２を必ずしも同じ最小目盛りとしなくてもよい。しかし、目盛り３の基点は、目盛り２より長さＤだけ離れた位置を基点とするものである。この実施の形態では、Ｄを４４．５ｍｍにした。
【００１６】
Ｄの値について、ツーバイフォー（２×４）工法を例にして説明する。２×４工法は、北米で発達した工法で、材料に断面が呼称寸法で、５０．８ｍｍ（２インチ）×１０１．６ｍｍ（４インチ）の材木を基本に用いるものである。日本に輸入される２×４工法用の木材は、５０．８ｍｍ×１０１．６ｍｍを削って仕上げたもので、３８ｍｍ×８９ｍｍの断面であり、この大きさのものがＪＡＳにおいて寸法形式２０４として定められている。壁面を構成する柱材としてこの２０４が用いられ、スタッドと呼ばれる間柱にも寸法形式２０４の木材が用いられる。以下の説明では、２０４の木材をスタッド材と呼ぶことにする。
【００１７】
図２は、２×４工法の柱の配置の寸法を示す配置図である。図中、１０は第１のパネル、１１，１２，１３，・・・はスタッド材、２０は第２のパネル、２１，２２，２３，２４，２５，２６，・・・はスタッド材である。第１のパネル１０の間柱に相当するスタッド材１２，１３，・・・は、第２のパネルのスタッド材２１，２２，２３，２４，２５，２６，・・・の中心をとおる直線を基準線として４５５ｍｍの間隔で設けられている。また、第１のパネル２０の間柱に相当するスタッド材２４，２５，２６，・・・は、第１のパネルのスタッド材１１，１２，１３，・・・の中心をとおる直線を基準線として４５５ｍｍの間隔で設けられている。したがって、パネルを作る際には、これら基準線から４５５ｍｍの位置に墨付けを行なって、間柱の中心位置を決める必要がある。スタッド材の広い方の幅は、上述したように、２×４工法における建物の基準となる柱の幅であり、これが８９ｍｍであるから、パネルの端面と基準線との間隔は、８９ｍｍの１／２である４４．５ｍｍである。したがって、２×４工法に用いる巻き尺テープにおいては、図１におけるＤは、８９ｍｍの１／２の値の４４．５ｍｍである。
【００１８】
図１に戻って説明する。第２の目盛り３は、このＤの値だけずれている。この実施の形態では、ズレ量の４４．５ｍｍを表示しておくようにした。先端部の図示しないフックをパネルの端部に係止すると、第２の目盛り３の基点である０位置が、図２で説明した基準線の位置に合致し、基準線からの距離を直読することができる。したがって、パネルを作る際に、フック部材を図２の左端に相当する位置に係止すれば、目盛り３の４５５ｍｍの位置、さらに、９１０ｍｍの位置、というように、４５５ｍｍの整数倍の位置が間柱の位置となり、パネル１０における間柱１２，１３，・・・の墨付けが容易となる。同様に、図２の下端に相当する位置にフック部材を係止すれば、目盛り３の４５５ｍｍの位置、さらに、９１０ｍｍの位置、というように、４５５ｍｍの整数倍の位置がパネル２０の間柱２４，２５，２６，・・・の位置となり、墨付けが容易となる。
【００１９】
図１（Ｂ）に示す指標４は、目盛り３と基点を同じくして、４５５ｍｍの整数倍の位置に設けられた指標である。指標には、基点からの長さを示す数値、例えば、４５５，９１０，１３６５，・・・というように、４５５の倍数値を表示するようにしてもよい。もちろん、数値を表示することなく、単に指標を表示するだけでもよい。この指標により、間柱の位置の芯出しが極めて簡単となる。
【００２０】
指標５は、指標４を中心位置として、スタッド材の幅に相当する位置に設けたものである。すなわち、スタッド材の幅の内の狭い方の幅３８ｍｍに対して１９ｍｍずつに振り分けた位置と、広い方の幅８９ｍｍに対して４５ｍｍずつに振り分けた位置に指標５が表示されている。なお、広い方の幅８９ｍｍに対しては、１／２ずつに振り分けると４４．５ｍｍの位置となるが、切り上げて４５ｍｍとした。もちろん、４４．５ｍｍの位置と表示でもよいが、指標５は、スタッド材の幅を確認するためのものであり、さほどの厳密さは必要としないので、１９ｍｍと４５ｍｍの位置でも十分である。
【００２１】
この実施の形態では、間柱の位置間隔をさらに分かりやすくするために、着色領域８が施されている。着色領域８は、複数位置の指標４の間を分かりやすくするためのもので、やや薄い黒色の帯を指標４の間を１つおきに表示したものである。赤や青など、色彩の着色領域としてもよい。もちろん、着色領域８を設けなくてもよい。
【００２２】
さらに、指標６を設けるようにしてもよい。指標６は４０６．４ｍｍ（１６インチ）ごとに設けるものであり、ｍｍ単位に四捨五入した位置に設けるようにしてもよい。図中の「４０６」のように数値を付加してもよい。北米規格の合板を枠組み壁工法に用いる際に指標となるものである。
【００２３】
下段の目盛り２に、４５５ｍｍ間隔の指標７を表示してもよい。この実施の形態では、黒色の目盛線に対して赤色の指標７を４５５ｍｍの整数倍の位置に表示した。別の色でもよい。指標７についても、数値を付加してもよいが、この実施の形態では、表示が煩雑となるのを避けるために数値は付加していない。
【００２４】
スタッド幅目盛り９は、目盛り２の基点と同じ基点から、スタッド材の幅に相当する１９ｍｍと８９ｍｍの位置に設けた目盛りである。図示しないフック部材をスタッド材に係止することにより幅の確認が簡単にできる。スタッド幅目盛り９は必ずしも設けなくてもよい。
【００２５】
なお、実施の形態では、２×４工法に用いることを例に挙げて本発明を説明したが、本発明は２×４工法に限られるものではない。例えば、正方形断面の柱を用いる日本建築においても、目盛り３の目盛り２に対するズレ量Ｄを、柱の幅の１／２とすることにより、同様に間柱の位置の芯出しが容易となることは明らかである。この場合にも、柱の幅と間柱の位置間隔に対応して指標４，５や着色領域８を設けることができる。
【００２６】
【発明の効果】
以上の説明から明らかなように、請求項１ないし４および７に記載の発明によれば、間柱の位置の墨付けが容易となる。特に、請求項２に記載の発明は、２×４工法に適した目盛りである。
【００２７】
また、請求項５に記載の発明によれば、間柱の幅を簡単に確認できる利点があり、請求項６に記載の発明によれば、内装仕上げ後の間柱の位置確認が容易となる利点がある。
【図面の簡単な説明】
【図１】本発明の巻き尺テープの実施の形態の一例の目盛りを説明するためのもので、図１（Ａ）は先端部の平面図、図１（Ｂ）は中間部の平面図である。
【図２】図２は、２×４工法の柱の配置の寸法を示す配置図である。
【符号の説明】
１…巻き尺テープ、２，３…目盛り、４，５，６，７…指標、８…着色領域、９…スタッド幅目盛り、１０…第１のパネル、１１，１２，１３，・・・…スタッド材、２０…第２のパネル、２１，２２，２３，２４，２５，２６，・・・…スタッド材。
【図１】
0003770572.tif 000002
【図２】
0003770572.tif 000003